(57)【特許請求の範囲】
【請求項１】
床に形成された排水枡内へ設置され前記排水枡の開口面を覆う蓋体と、
前記蓋体の外周部であって前記蓋体の各辺の中心部より片側に形成され、前記排水枡の開口縁部から流入する排水を前記蓋体の各辺の中心部より片側から前記排水升内へ導水して前記排水枡内に旋回流を発生させる導水部と、
を有する排水蓋。
【請求項２】
前記蓋体は矩形状である請求項１に記載の排水蓋。
【請求項３】
前記導水部は、前記蓋体の対向する辺の一部を凹ませて形成され、前記排水枡の開口縁部との間から排水を前記排水枡内へ導水して前記排水枡内に旋回流を発生させる導水口である請求項２に記載の排水蓋。
【請求項４】
前記蓋体の外形を、前記蓋体の外周部と前記排水枡の開口縁部との間に排水が流れる補助導水口としての隙間が生じる大きさとした請求項２又は３に記載の排水蓋。
【請求項５】
前記蓋体は矩形状であり、前記導水部は、各辺に設けられた側壁を切欠いて形成された第１開口部であり、前記第１開口部は、前記排水枡の開口縁部から流入する排水を前記排水枡内に導水して前記排水枡内に旋回流を発生させる請求項１に記載の排水蓋。
【請求項６】
前記側壁には、前記第１開口部より開口面積が小さい第２開口部が前記蓋体の各辺の中心部の前記第１開口部と逆側に形成されている請求項５に記載の排水蓋。
【発明の詳細な説明】
【技術分野】
【０００１】
本発明は、排水蓋に関する。
【背景技術】
【０００２】
従来、排水口が異物によって詰まるのを防止するため、浴室等の床に形成された排水枡の開口面は排水蓋で覆われる。このような排水蓋では、排水を確保するため全面に複数のスリット状の貫通孔が設けられている（特許文献１、２）。
【０００３】
しかしながら、複数のスリット状の貫通孔へ無作為に排水が流れると、排水に混じった毛髪等は、排水枡の底部に設けられたヘアキャッチャー上に散らばってまとまらず、ヘアキャッチャーの通水孔に引っ掛かり、清掃に手間がかかる。
【先行技術文献】
【特許文献】
【０００４】
【特許文献１】特開２０００−１５４５６７
【特許文献２】特開平９−１２５４７９
【発明の概要】
【発明が解決しようとする課題】
【０００５】
本発明は上記事項を考慮し、排水に混じった毛髪等を排水枡にまとめることを目的とする。
【課題を解決するための手段】
【０００６】
請求項１に記載の排水蓋は、床に形成された排水枡内へ設置され前記排水枡の開口面を覆う蓋体と、前記蓋体の外周部であって前記蓋体の各辺の中心部より片側に形成され、前記排水枡の開口縁部から流入する排水を前記蓋体の各辺の中心部より片側から前記排水升内へ導水して前記排水枡内に旋回流を発生させる導水部と、を有する
【０００７】
請求項１に記載の排水蓋では、排水枡の開口縁部を流れる排水は、蓋体の外周部に形成された導水部から排水枡内へ流入し、蓋体の中心部より片側へ導水される。このため、排水枡内の排水は、排水枡の中心部周りに旋回しながら流れ、旋回流を発生させる。このようにして排水枡内を一方向に旋回しながら排水されるため、排水に混じっている毛髪等は、旋回流によって排水枡内に集められる。
【０００８】
請求項２に記載の排水蓋は、前記蓋体は矩形状である。
【０００９】
請求項２に記載の排水蓋では、矩形状の蓋体の中心線より片側へ導水部が形成されているので、導水部へ流入した排水は蓋体の中心部より片側へ導水され主流となる。例えば、導水口が蓋体の中心線より右側に形成されているとき、各導水口へ流入する排水は、蓋体の中心線に対して右側に流れ、排水枡の中心部の周りに左旋回する旋回流を発生する。なお、ここでいう蓋体の中心線は、蓋体の対向する辺に対して、それぞれの辺を２等分する点を結ぶ直線をさす。
【００１０】
請求項３に記載の排水蓋は、前記導水部は、前記蓋体の対向する辺の一部を凹ませて形成され、前記排水枡の開口縁部との間から排水を前記排水枡内へ導水して前記排水枡内に旋回流を発生させる導水口である。
【００１１】
請求項３に記載の排水蓋では、蓋体の対向する辺の一部を凹ませて導水口を形成しているので、排水蓋の上面にスリット孔などを形成する必要がなく、簡単な加工で排水蓋を製造する事ができる。
【００１２】
請求項４に記載の排水蓋は、前記蓋体の外形を、前記蓋体の外周部と前記排水枡の開口縁部との間に排水が流れる補助導水口としての隙間が生じる大きさとしている。
【００１３】
請求項４に記載の排水蓋では、蓋体の外周部と排水枡の開口縁部との間に形成された補助導水口からも排水が流れるので、排水量を増やすことができる。また、補助導水口は導水口より流入面積が小さいので主流にはならず、導水口から流入した排水によって発生する旋回流には影響を与えない。
【００１４】
請求項５に記載の排水蓋は、前記蓋体は矩形状であり、前記導水部は、各辺に設けられた側壁を切欠いて形成された第１開口部であり、前記第１開口部は、前記排水枡の開口縁部から流入する排水を前記排水枡内に導水して前記排水枡内に旋回流を発生させる。
【００１５】
請求項５に記載の排水蓋では、蓋体の側壁を切欠いて第１開口部が形成されているので、表から見た蓋体の見栄えが良い。
【００１６】
請求項６に記載の排水蓋は、前記側壁には、前記第１開口部より開口面積が小さい第２開口部が前記蓋体の各辺の中心部の前記第１開口部と逆側に形成されている。
【００１７】
請求項６に記載の排水蓋では、第２開口部からも排水を流すことができるので、排水量を増やすことができる。
【発明の効果】
【００１８】
本発明は、上記の構成としたので、排水に混じった毛髪等を排水枡にまとめることができる。
【図面の簡単な説明】
【００１９】
【図１】第１実施形態に係る排水蓋と浴室に形成された排水枡との関係を示す斜視図である。
【図２】第１実施形態に係る排水蓋が排水枡に載置された状態を示す一部断面図である。
【図３】第１実施形態に係る排水蓋の斜視図である。
【図４】第１実施形態に係る排水蓋の裏面側から見た斜視図である。
【図５】第１実施形態に係る排水蓋から排水枡へ流入した排水の流れを示す説明図である。
【図６】第２実施形態に係る排水蓋の斜視図である。
【図７】第３実施形態に係る排水蓋の斜視図である。
【発明を実施するための形態】
【００２０】
本発明の第１実施形態に係る排水蓋１０について説明する。図１に示すように、浴室１００は、洗い場１０２と浴槽１０４で構成されており、洗い場１０２の床面は床１０２Ａで形成されている。床１０２Ａには、浴槽１０４と洗い場１０２との境界近傍に凹状の排水枡１０６が形成されている。
【００２１】
排水枡１０６の底部の中心部には、排水口１０８が形成されており、床１０２Ａから排水枡１０６内に流れ込んだ排水は、排水口１０８から図示しない排水管を通って下水へ流される。また、排水口１０８に形成された段差部１０８Ａには、毛髪等を捕集するヘアキャッチャー１１０が支持されている（図２参照）。
【００２２】
排水枡１０６の底部には、排水枡１０６の開口面を覆うように排水蓋１０が設置される。このとき、排水蓋１０の蓋体１４の裏面に形成された複数の脚部１２及び補助脚部２２が排水枡１０６の底部に載置される。
【００２３】
また、排水枡１０６の浴槽１０４側の側壁の上部には、床１０２Ａの上面から略半円柱状に凹んだ指掛け部１１２が形成されており、指掛け部１１２に指を掛けて排水枡１０６の底部に設置された排水蓋１０が取外される。
【００２４】
図２に示すように、排水枡１０６の底部は排水口１０８に向かって緩やかに下り傾斜になっている。排水口１０８の周辺には段差部１０８Ａが形成されている。段差部１０８Ａには、ヘアキャッチャー１１０の外周部に形成されたフランジ部１１０Ａが載せられ、ヘアキャッチャー１１０の上面と排水口１０８の開口縁部が同一高さとなっている。また、ヘアキャッチャー１１０には排水を通水させる多数の通水孔１１６が形成されている。
【００２５】
さらに、蓋体１４の上面の外周部と床１０２Ａとは同じ高さとなっており、蓋体１４の上面の中心部は、床１０２Ａより高く形成され、中心部から外周部へ向かって矢印の方向に下り傾斜面が形成されている。また、蓋体１４の外形は、蓋体１４と排水枡１０６の開口縁部１０６Ａとの間に隙間が生じる大きさとされている。
【００２６】
さらに蓋体１４をさらに詳しく説明すると、図３に示すように、蓋体１４は長方形の平板部材であり、ＡＢＳ樹脂等の合成樹脂で形成されている。蓋体１４の上面の中心部には、４つの角部から中心部に向かう４本の溝１８Ａによって菱形の領域１４Ａが形成されており、領域１４Ａの蓋体１４の短辺の中心線ＣＬ上には、稜線１５が形成されている。領域１４Ａは、稜線１５を頂部として下り傾斜面となっている。なお、ここでいう中心線ＣＬとは、蓋体１４の短辺を２等分する点同士を結ぶ直線、及び長辺を２等分する点同士を結ぶ直線をさす。以下の説明においても同様である。
【００２７】
蓋体１４の上面の短辺側には、上述した溝１８Ａと蓋体１４の短辺によって三角形の領域１４Ｂが形成されている。さらに、蓋体１４の上面の長辺側には、上述した溝１８Ａ及び、長辺の中心部から領域１４Ａに向かって形成された溝１８Ｂによって、台形状の領域１４Ｃがそれぞれの長辺側に２つずつ形成されている。領域１４Ｂ及び１４Ｃは、蓋体１４の外周部へ向かって下り傾斜面となっている。
【００２８】
図４に示すように、蓋体１４の裏面１４Ｄは、蓋体１４の外周部から中心部に向かって下り傾斜している（図２参照）。また、裏面１４Ｄの対角線上には稜線２６が形成されている。この稜線２６を境にしてそれぞれの傾斜面が蓋体１４の外周部に向かって下り傾斜している。
【００２９】
蓋体１４の裏面１４Ｄの角部には、円柱状の脚部１２が下方へ突出して形成されている。また、それぞれの脚部１２の外周部には、蓋体１４へ連結される脚部補強リブ１２Ａが形成されている。
【００３０】
さらに、蓋体１４の裏面１４Ｄには、蓋体１４の中心部から蓋体１４の各辺の中心部へ延設された十字形状の蓋体補強リブ２４が形成されている。蓋体補強リブ２４は、蓋体１４の中心部から各辺の中心部に向かって下り傾斜しており、蓋体補強リブ２４の断面形状は、略半円形状とされ、清掃しやすくなっている。
【００３１】
また、蓋体補強リブ２４の端部には、円柱状の補助脚部２２が形成されている。補助脚部２２は、脚部１２と同じ高さであり、補助脚部２２の外周部には、蓋体１４へ連結される補助脚部補強リブ２２Ａが形成されている。
【００３２】
図３及び図４示すように、蓋体１４の外周部は角が取られて丸みを帯びており、４辺には蓋体１４の外周部を内側へ凹ませた導水口としての凹部２０が形成されている。
【００３３】
凹部２０は、蓋体１４の中心線ＣＬより右側にのみ形成されており、各辺の半分よりやや短い長さとされている。また、凹部２０の凹み量は、図５に示すように、排水蓋１０を排水枡１０６へ載置した際に、蓋体１４と排水枡１０６の開口縁部１０６Ａとの間に指が入らない程度に設定されている。
【００３４】
なお、凹部２０は、蓋体１４の中心線ＣＬより右側に形成されていれば、中心線ＣＬから辺の端部まで連続して凹んでいなくてもよく、断続的に複数の凹部２０が形成されていてもよい。また、中心線ＣＬを越えて凹部２０を形成しても、凹部２０へ流入した排水の主流の中心が排水枡１０６の中心部より右側を流れれば旋回流が発生する。
【００３５】
また、本実施形態では、蓋体１４は矩形状であったが、他の形状でもよい。例えば、蓋体１４が三角形の場合、蓋体１４の各辺の中心部より右側を内側に凹ませて凹部２０を形成し、凹部２０へ流入した排水の主流の中心が排水枡１０６の中心部より右側を流れるようにすることで、旋回流が発生する。
【００３６】
次に、本実施形態に係る排水蓋１０の作用について説明する。
【００３７】
図５に示すように、蓋体１４の４辺を凹ませて形成された凹部２０と排水枡１０６の開口縁部１０６Ａとの間に隙間２８が形成されている。また、凹部２０を除いた蓋体１４の外形は、蓋体１４の外周部と排水枡１０６の開口縁部１０６Ａとの間に補助導水口としての隙間３０が生じる大きさに形成されている。なお、排水が隙間２８から流入する流入面積が隙間３０から流入する流入面積よりも大きくなるように凹部２０の凹み量が設定されている。
【００３８】
ここで、浴槽１０４（図１参照）、又は図示しないシャワーから洗い場１０２へ排水が流されると、排水は床１０２Ａを流れて排水枡１０６の開口縁部１０６Ａへ到達し、隙間２８及び隙間３０から排水枡１０６内に流入する。
【００３９】
このとき、隙間２８から排水枡１０６内に流入した排水の主流の中心は、蓋体１４の中心線に対して右側に導水され、矢印Ａの方向に流れ、排水は排水枡１０６の中心部の周りに左旋回する。
【００４０】
同様にして４辺の隙間２８から排水枡１０６へ流入した排水の主流の中心が矢印Ａの方向へ流れることで、排水枡１０６の中心部の周りに左旋回する旋回流Ｃが発生する。旋回流Ｃは、ヘアキャッチャー１１０上を左旋回しながら通水孔１１６を通って排水口１０８へ排水される。
【００４１】
また、隙間３０から排水枡１０６内に導水された排水は、矢印Ｂの方向に流れるが、隙間２８から流入した排水より排水量が少ないため、矢印Ａの方向に流れる主流に合流して旋回流Ｃとなる。ここで、排水に混じっている毛髪等は、通水孔１１６には絡まらず、旋回流Ｃによって排水枡１０６の中心部の周りに左旋回しながらヘアキャッチャー１１０上にまとまって捕集される。
【００４２】
なお、本実施形態では、蓋体１４の４辺に凹部２０が形成されていたが、例えば対向する２辺だけに形成されていてもよいし、１辺だけに凹部２０が形成されていてもよい。この場合、隙間２８から流入する排水の流入面積が、隙間３０から流入する排水の流入面積より大きくなるように凹部２０を凹ませることで、旋回流を発生させることができる。
【００４３】
また、排水量をさらに多くするため、蓋体１４の４辺の中心線ＣＬより左側を凹ませて隙間３０を広げても良い。この場合、上述したように、隙間２８から流入する排水の流入面積の方が大きくなるようにして、旋回流Ｃに影響を与えないようにする。
【００４４】
さらに、本実施形態では、凹部２０は蓋体１４の辺の中心線ＣＬより右側に形成されていたが、凹部２０を形成する方向を左右逆にして中心線ＣＬより左側に形成してもよい。この場合、隙間２８から排水枡１０６へ流入する排水の主流は、排水枡１０６の中心部より左側へ導水され、排水枡１０６の中心部の周りに右旋回する旋回流が発生する。ここで、北半球ではコリオリの力によって左旋回しやすくなっているが、排水に作用するコリオリの力は小さいので、右旋回する旋回流に影響を与えない。また、蓋体１４の角部は凹んでおらず、蓋体１４の強度が必要以上に低下しないようにしている。
【００４５】
次に、本発明の第２実施形態に係る排水蓋５０について説明する。なお、第１実施形態と同じ構成のものは同符号を付すると共に、適宜省略して説明する。
【００４６】
図６に示すように、本実施形態に係る排水蓋５０は矩形状の樹脂部材であって、蓋体５２の外周部から下方へ延出した側壁５４を、側壁５４の中心線ＣＬより右側を切欠いて、高さが側壁５４の３分の２程度で、長さが側壁５４の半分程度の第１開口部５６が形成されている。
【００４７】
また、側壁５４の中心線ＣＬより左側には、第１開口部５６と連続して第２開口部５８が側壁５４を切欠いて形成されている。第２開口部の長さは第１開口部５６と同じで、高さは側壁５４の３分の１程度となっている。
【００４８】
第１開口部５６及び第２開口部５８は、排水蓋５０の４つの側面に形成されている。なお、上面５２の構成については第１実施形態と同様であるため、説明を省略する。
【００４９】
排水蓋５０を図５の排水枡１０６へ載置して排水を流したとき、第１開口部５６及び第２開口部５８から排水枡１０６内へ流れる。
【００５０】
第１開口部５６の方が第２開口部５８より開口面積が大きいので、第１開口部５６から排水蓋５０の中心線ＣＬより右側へ導水された排水は、主流となって排水枡１０６の中心部の周りに左旋回することで左回りの旋回流が発生する。
【００５１】
さらに、第２開口部５８から排水枡１０６内へ流入した排水は、第１開口部５６から流入した排水より排水量が小さいので、左回りの旋回流に合流する。したがって、排水に混じっている毛髪等は、旋回流によって左旋回しながら排水枡１０６の底部の中心部へ集められ、ヘアキャッチャー１１０上にまとまって捕集される（図５参照）。
【００５２】
なお、本実施形態では第１開口部５６と第２開口部５８が連続して形成されていたが、側壁５４によって隔てられていても良いし、第１開口部５６だけが形成されていても良い。また、側壁５４を切欠いて、スリット状の貫通孔を形成して第１開口部５６及び第２開口部５８としてもよい。
【００５３】
次に、本発明の第３実施形態に係る排水蓋７０について説明する。なお、第１実施形態と同じ構成のものは同符号を付すると共に、適宜省略して説明する。
【００５４】
図７に示すように、本実施形態に係る排水蓋７０は、平板状の蓋体７２を備えており、排水蓋７０の裏面には、蓋体７２の角部から円柱状の脚部７４が下方に突出して形成されている。
【００５５】
蓋体７２の外周部には、蓋体７２を貫通するスリット孔７６が形成されている。スリット孔７６は、蓋体７２の中心線ＣＬより右側に形成された第１スリット７６Ａ及び蓋体７２の中心線ＣＬより左側に形成された第２スリット７６Ｂによって構成されている。
【００５６】
第１スリット７６Ａは、第２スリット７６Ｂより２倍程度広幅に形成されている。ここで、図５の排水枡１０６へ排水蓋７０を載置して排水を流したとき、第１スリット７６Ａから排水枡１０６内へ流入する流入面積は、第２スリット７６Ｂから排水枡１０６内へ流入する流入面積より大きくなる。このため、第１スリット７６Ａから排水枡１０６内へ流入する排水が主流となって、蓋体７２の中心線ＣＬより右側へ導水され、排水枡１０６の中心部の周りに左回りの旋回流が発生する。
【００５７】
なお、排水はスリット７６から排水枡１０６内へ流入するので、蓋体７２の外周部と排水枡１０６の開口縁部１０６Ａとの間に隙間を形成しなくてもよい。
【００５８】
以上、本発明の第１〜第３の実施形態について説明したが、本発明はこうした実施形態に限定されるものでなく、第１〜第３の実施形態を組み合わせて用いてもよいし、本発明の要旨を逸脱しない範囲において、種々なる態様で実施し得ることは勿論である。例えば、蓋体１４の４辺に形成された凹部２０の凹み量をそれぞれ異なる凹み量としてもよい。この場合、排水量が比較的少ない浴槽側に形成された凹部２０の凹み量を大きくし、排水量が比較的多い洗い場側に形成された凹部２０の凹み量を小さくすることで、排水枡１０６へ流入する排水の排水量を均一にして、スムーズな旋回流Ｃを発生させることができる。
【符号の説明】
【００５９】
１０        排水蓋
１４        蓋体
２０        凹部（導水部）
３０        隙間（補助導水口）
５０        排水蓋
５２        蓋体
５６        第１開口部
５８        第２開口部
７０        排水蓋
７２        蓋体
１０２Ａ    床
１０６      排水枡
１０６Ａ    開口縁部
【図１】
0005865000.tif 000002
【図２】
0005865000.tif 000003
【図３】
0005865000.tif 000004
【図４】
0005865000.tif 000005
【図５】
0005865000.tif 000006
【図６】
0005865000.tif 000007
【図７】
0005865000.tif 000008